(57)【要約】【課題】展開式おむつカバー、パンツ式おむつカバー、トイレトレーニングパンツのいずれとしても使用でき、通気性を有しデザイン性の高いおむつカバーを提供する。【解決手段】おむつカバー１が腹面域４、両縁が長手方向に伸縮可能な股下域５と背面域３で構成されたおむつ当接部材１４と背面域上端に幅方向に伸縮可能なベルト状部材２で構成され、ベルト状部材２の一端の内側ともう一端の外側に設けられた第一接合部材９ａ、９ｂと腹面域４の上端内側とベルト状部材２外側に設けた第二接合部材１２ａ〜１２ｈが備わっており、背面域３上端の内側両端付近および腹面域４上端の内側両端付近におむつを固定するための固定部材１０を設け、おむつ当接部材１４が多層構造をなし、おむつに接する内側層が不織布、中間層が柔軟性を有しかつ防水性と通気性を兼備した素材、外側層は柔軟性と通気性を兼備した素材で形成されていることを特徴とするおむつカバー。  【選択図】図２
2016059478.tif 000002
【特許請求の範囲】
【請求項１】
使用時に使用者の背中側に位置する背面域、腹側に位置する腹面域、及び背面域と腹面域との間に位置する股下域で構成されたおむつ当接部材と、おむつ当接部材の背面域上端に設けられたベルト状部材で構成されるおむつカバーであって、ベルト状部材の一端の内側ともう一端の外側に設けられた第一接合部材と腹面域の上端内側とベルト状部材外側に設けられた第二接合部材とを備え、展開時にはＴ字状をなし、使用時には使用者の胴囲に合わせてベルト状部材が伸縮可能であることを特徴とするおむつカバー。
【請求項２】
背面域上端の内側両端付近および腹面域上端の内側両端付近におむつを固定するための固定部材を備えることを特徴とする請求項１に記載のおむつカバー。
【請求項３】
股下域から背面域の長手方向両縁が長手方向に伸縮可能であることを特徴とする請求項１または２に記載のおむつカバー。
【請求項４】
おむつ当接部材が多層で構成されており、おむつに接する内側層が不織布で形成されていることを特徴とする請求項１乃至３のいずれかに記載のおむつカバー。
【請求項５】
多層構造をなしているおむつ当接部材において中間層が柔軟性を有し、かつ防水性と通気性を兼備した素材で形成され、外側層は柔軟性と通気性を兼備した素材で形成されていることを特徴とする請求項４に記載のおむつカバー。
【発明の詳細な説明】
【技術分野】
【０００１】
本発明は、展開式おむつカバーとしてもパンツ式おむつカバーとしてもトイレトレーニングパンツとしても使用でき、通気性を有しデザイン性の高いおむつカバーに関するものである。
【背景技術】
【０００２】
従来、乳幼児の排泄介助用着用物品としておむつやおむつカバー、トイレトレーニングパンツが周知であり、おむつカバーの形状は展開式（例えば、特許文献１参照）とパンツ式（例えば、特許文献２参照）が主流となっている。
【０００３】
寝たきりに近い新生児や乳幼児には展開式おむつカバー、寝返りやハイハイや歩行で行動範囲の広がった乳幼児にはパンツ式おむつカバー、トイレでの排泄を覚える練習期間にはトイレトレーニングパンツというように乳幼児の発達段階に合わせ形状の異なった排泄介助用着用物品が提供されている。
【０００４】
使い捨て紙おむつでは展開式おむつカバー型とパンツ式おむつカバー型どちらも容易に入手できるが、使い捨てではないおむつカバーは市販されているものの大部分が展開式であり、パンツ式のものはほとんどない。
【０００５】
特許文献３に開示のおむつカバーでは、展開式としてもパンツ式としても使用できるおむつカバーが提案されている。
【先行技術文献】
【特許文献】
【０００６】
【特許文献１】特開２０１０−１２１８９号公報
【特許文献２】特開平１１−２１６１６４号公報
【特許文献３】実用新案登録３１０７９４９号公報
【発明の概要】
【発明が解決しようとする課題】
【０００７】
展開式おむつカバーはおむつ交換時に乳幼児を仰向けに寝かせる必要があり、寝返り以降の発達を遂げた乳幼児に使用するのは困難である。
【０００８】
パンツ式おむつカバーは展開式おむつカバーに比して行動範囲の広がった乳幼児に使用するのは容易であるが、乳幼児が就寝中におむつ交換をするのは困難であった。
【０００９】
パンツ式おむつカバーはおむつ交換時に乳幼児の排泄した汚物がおむつカバーや着衣も汚してしまう可能性があった。
【００１０】
市販されているパンツ式おむつカバーを使用するためにはおむつカバーと内部のおむつを固定した状態を保つため専用形状のおむつを購入しなければならないものが多く、従来の布おむつを使用できない。
【００１１】
トイレで排泄する際には展開式おむつカバー、パンツ式おむつカバー、トイレトレーニングパンツのいずれも完全に脱衣する必要があり、トイレ個室のように狭い空間で着脱を行うのは困難であった。
【００１２】
トイレトレーニングパンツは通常のパンツに比して吸収力があるが、おむつに比すると格段に吸水性や保水性に劣るため、使用者より排泄された排泄物が漏出することが多く、着衣の洗濯や部屋の掃除などの負担が増す。
【００１３】
乳幼児の発達段階に合わせて形状の異なる排泄介助用着用物品を買い替える必要がある。
【００１４】
一般的に使い捨てではないおむつカバーは触感を良くするため織物で肌面側を被覆されている。よって使用者より排泄された汚物が付着するとシミになり、なかなか落ちない。
【００１５】
一般的に使い捨てではないおむつカバーは通気性がなく蒸れやすいので使用者の不快感が増し、かぶれの原因にもなる。
【００１６】
一般的な使い捨てではないおむつカバーは防水布等で製造されるため、素材の選択肢が少なくデザイン性に乏しい。
【００１７】
本発明は、これらの問題点を解決するためになされたもので、展開式おむつカバーとしてもパンツ式おむつカバーとしてもトイレトレーニングパンツとしても使用でき、通気性を有しデザイン性の高いおむつカバーを提供することを課題とするものである。
【課題を解決するための手段】
【００１８】
上記課題を解決するために、本発明の請求項１は使用時に使用者の背中側に位置する背面域、腹側に位置する腹面域、及び背面域と腹面域との間に位置する股下域で構成されたおむつ当接部材と、おむつ当接部材の背面域上端に設けられたベルト状部材で構成されるおむつカバーであって、ベルト状部材の一端の内側ともう一端の外側に設けられた第一接合部材と腹面域の上端内側とベルト状部材外側に設けられた第二接合部材とを備え、展開時にはＴ字状をなし、使用時には使用者の胴囲に合わせてベルト状部材が伸縮可能であることを特徴とするおむつカバーを提供するものである。
【００１９】
本発明の請求項２では、請求項１の構成において、背面域上端の内側両端付近および腹面域上端の内側両端付近におむつを固定するための固定部材を備えることを特徴とする請求項１に記載のおむつカバーを提供するものである。
【００２０】
本発明の請求項３では、請求項１または２の構成において、股下域から背面域の長手方向両縁が長手方向に伸縮可能であることを特徴とする請求項１または２に記載のおむつカバーを提供するものである。
【００２１】
本発明の請求項４では、請求項１乃至３の構成において、おむつ当接部材が多層で構成されており、おむつに接する内側層が不織布で形成されていることを特徴とする請求項１乃至３のいずれかに記載のおむつカバーを提供するものである。
【００２２】
本発明の請求項５では、請求項４の構成において、多層構造をなしているおむつ当接部材において中間層が柔軟性を有し、かつ防水性と通気性を兼備した素材で形成され、外側層は柔軟性と通気性を兼備した素材で形成されていることを特徴とする請求項４に記載のおむつカバーを提供するものである。  
【発明の効果】
【００２３】
本発明はベルト状部材の一端の内側ともう一端の外側に設けられた第一接合部材を使用者の腹側で接合し、さらに腹面域の上端内側とベルト状部材外側に設けた第二接合部材を使用者の腹側で接合することで使用できるようになしてあるため、すべての接合部材を剥離することにより展開式おむつカバーとして使用できる。
【００２４】
ベルト状部材が幅方向に伸長可能であり、さらに股下域から背面域の長手方向両縁が長手方向に伸長可能であるため、ベルト状部材の両端に設けた第一接合部材を止着し、腹面域の上端内側とベルト状部材外側に設けた第二接合部材を止着するとパンツ式おむつカバーやトイレトレーニングパンツとして使用できる。
【００２５】
背面域上端の内側両端付近および腹面域上端の内側両端付近におむつを固定するための固定部材を備えているので、パンツ式おむつカバーとして使用する際も従来の布おむつを使用することができる。
【００２６】
固定部材におむつを固定する際、市販のおむつライナーを一緒に固定することがきる。使用者の肌面側がおむつライナーとなるようにおむつを被覆した状態で固定部材に一緒に固定すれば、使用者より排泄された汚物の処理やおむつの洗濯等の負担を軽減できる。
【００２７】
固定部材におむつを固定した状態でおむつカバーを使用している場合、ベルト状部材の両端に設けた第一接合部材を使用者の腹側で接合した状態を保持したまま腹面域の上端内側とベルト状部材外側に設けた第二接合部材のみを剥離することで、おむつとおむつカバーを完全に脱衣することなくトイレで排泄することができ、狭い空間で再度使用することが容易になる。
【００２８】
本発明は展開式おむつカバー、パンツ式おむつカバー、トイレトレーニングパンツのいずれとしても使用可能なので、乳幼児の発達段階に合わせて排泄介助用着用物品を買い替える必要がない。
【００２９】
乳幼児が行動しているときはパンツ式、就寝時は展開式などのように、乳幼児の行動に合わせて介助者が本発明の使用方法を選択することができる。
【００３０】
背面域、腹面域、股下域で構成されたおむつ当接部材が多層で構成されており、おむつに接する内側層が不織布で形成されていることで使用者より排泄された汚物が付着してもシミにならず、汚れを容易に落とすことができる。
【００３１】
多層構造をなしているおむつ当接部材においておむつに接する内側層が不織布、中間層が柔軟性を有し、かつ防水性と通気性を兼備した素材、外側層は柔軟性と通気性を兼備した素材で形成されていることで通気性と防水機能の両立が可能となり、さらにパンツのフィット感に近づけることができる。
【００３２】
多層構造をなしているおむつ当接部材において外側層は柔軟性と通気性を兼備した素材ならば良く、選択肢が広がるのでデザイン性の向上につながる。
【００３３】
これまで本発明の適用対象として乳幼児を想定した場合の発明の効果について記載してきたが、適用対象は乳幼児に限られるものではなく成人が使用することも可能である。
【図面の簡単な説明】
【００３４】
【図１】本発明の実施形態の腹面域を使用した状態の概略斜視図
【図２】本発明の実施形態を示す概略展開図（内側）
【図３】本発明の実施形態を示す概略展開図（外側）
【図４】本発明の実施形態を腰に使用した状態の概略正面図
【図５】本発明の実施形態を腰に使用した状態の概略側面図
【図６】本発明の実施形態のおむつ当接部材の断面図（図２の1-1線断面図）
【図７】本発明の実施形態のおむつ固定時の概略展開図（内側）
【発明を実施するための形態】
【００３５】
以下、本発明の好適な実施形態について図面を参照しながら詳細に説明する。
図１は本発明のおむつカバーの腹面域を使用した状態の概略斜視図、図２は同上の内側概略展開図、図３は同上の外側概略展開図、図４は同上を腰に使用した状態の概略正面図、図５は図４の状態における概略側面図、図６は図２に示す1-1線に沿って切断した時のおむつ当接部材の断面図、図７は本発明のおむつ固定時の内側概略展開図である。
【００３６】
本発明のおむつカバー１は、使用時に使用者１３の背中側に位置する背面域３、腹側に位置する腹面域４、及び背面域と腹面域との間に位置する股下域５で構成されたおむつ当接部材１４を有し、おむつ当接部材の背面域上端にベルト状部材２が設けられている。
【００３７】
図１乃至図４に示すように、おむつカバー１においてベルト状部材２の一端の内側ともう一端の外側に設けられた第一接合部材９ａ、９ｂを止着することで胴周り開口６を形成し、さらに腹面域４の上端内側とベルト状部材２外側に設けた第二接合部材１２ａ〜１２ｈを止着することでパンツ型の形状をなし、一対の脚周り開口７を形成する。
【００３８】
ベルト状部材２の一端の内側ともう一端の外側に設けられた第一接合部材９ａ，９ｂ、および腹面域４の上端内側とベルト状部材２外側に設けた第二接合部材１２ａ〜１２ｈの素材として、スナップボタンや面ファスナーが好適である。
【００３９】
図２または図３に示すようにおむつカバーは双頭矢印Ａで示される幅方向と、双頭矢印Ｂで示される長手方向を有し、展開した状態ではＴ字状となる。ベルト状部材２には幅方向、加えて股下域５の両端には長手方向に伸縮可能とすることで、胴周り弾性域８と脚周り弾性域１１を形成している。伸縮可能とするために、胴周り弾性域８については2枚の布で構成し、上下両縁にそって長手方向に数本の直線縫合線を入れることで複数の袋構造を形成し、その中にゴム紐を通し両端を縫合固定する方法が考えられる。また脚周り弾性域１１については、股下域５から背面域３の長手方向両縁の少し内側に両縁の曲線に平行に縫合線を入れることで袋構造を形成し、その中にゴム紐を通し両端を縫合固定する方法が考えられる。
【００４０】
胴周り弾性域８を伸縮可能とする別法として、ベルト状部材２をゴムバンドで作製してもよい。
【００４１】
胴周り弾性域８と脚周り弾性域１１を伸縮可能とする別法として、ゴム糸を使用し縫製を行うことが考えられる。胴周り弾性域についてはゴム糸を用いて上下両縁に平行に数本の直線縫合線を入れることで幅方向に伸縮可能とすることができる。脚周り弾性域についてはゴム糸を用いて股下域５から背面域３の長手方向両縁の少し内側に両縁の曲線に平行に縫合線を入れることで長手方向に伸縮可能とすることができる。
【００４２】
図２乃至図５に示すように、帯状に設けられたベルト状部材２の一端の内側ともう一端の外側に第一接合部材９ａ、９ｂを設けており、使用者１３の腰に巻きつけるようにして腹側で接合することで使用者１３の腰におむつカバー１を固定することが可能である。
【００４３】
図２または図７に示すように、背面域３上端の内側両端付近および腹面域４上端の内側両端付近におむつを固定するための固定部材１０が設けられている。固定部材１０の素材としてはゴム紐等が好適である。
【００４４】
固定部材１０の素材としては、クリップなども考えられる。
【００４５】
図２または５に示すように、背面域３、腹面域４、股下域５で構成されたおむつ当接部材１４は３層で構成されている。おむつに接する内側層は不織布、中間層が柔軟性を有し、かつ防水性と通気性を兼備した素材で形成され、外側層は柔軟性と通気性を兼備した素材で形成されている。中間層の素材としてはフリースが好適である。外側層に防水機能は必要でないため、綿100％素材などが使用可能となる。
【００４６】
内側層１５として使用する不織布は防水機能を高めるため、複数枚重ねて使用してもよい。
【００４７】
以下、本発明の好適な使用方法について図面を参照しながら詳細に説明する。
図１または図２に示すように、使用前におむつカバー１のベルト状部材２の一端の内側ともう一端の外側に設けられた第一接合部材９ａ、９ｂを剥離し、さらに腹面域４の上端内側とベルト状部材２外側に設けた第二接合部材１２ａ〜１２ｂを全て剥離することで展開式おむつカバーとして使用可能である。
【００４８】
図１に示すように、使用前におむつカバー１のベルト状部材２の一端の内側ともう一端の外側に設けられた第一接合部材９ａ、９ｂを止着し、さらに腹面域４の上端内側とベルト状部材２外側に設けた第二接合部材１２ａ〜１２ｈを全て止着することでパンツ式おむつカバーまたはトイレトレーニングパンツとして使用可能である。
【００４９】
図２または図７示すように、背面域３上端の内側両端付近および腹面域４上端の内側両端付近におむつを固定するための固定部材１０として輪状に形成したゴム紐を使用した場合、形状が長方形であるおむつの四隅をゴム紐で結紮固定することで、おむつカバー１の内面におむつ１８を固定することが可能となり、パンツ式おむつカバーとして使用する際も従来の布おむつを使うことができる。
【００５０】
固定部材１０として使用した輪状のゴム紐におむつ１８を固定する際、おむつの肌面側を市販のおむつライナーを被覆し、おむつとおむつライナーを一緒に結紮することで、おむつカバー１の内面におむつライナーを一緒に固定することが可能となる。こうすることで使用者より排泄された汚物の処理やおむつの洗濯等の負担を軽減できる。
【００５１】
図４または図５に示すように、おむつカバー１を使用した状態で腹面域４の上端内側とベルト状部材２外側に設けた第二接合部材１２ａ〜１２ｈのみ剥離すると、使用者の腰にベルト状部材２のみでおむつカバーを固定した状態になる。こうすることでおむつカバーを完全に脱衣することなくトイレで排泄することができ、狭い空間で再度使用することが容易になる。
【符号の説明】
【００５２】
１      おむつカバー
２      ベルト状部材
３      背面域
４      腹面域
５      股下域
６      胴周り開口
７      脚周り開口
８      胴周り弾性域
９      第一接合部材
１０    固定部材
１１    脚周り弾性域
１２    第二接合部材
１３    使用者
１４    おむつ当接部材
１５    内側層
１６    中間層
１７    外側層
１８    おむつ
【図１】
2016059478.tif 000003
【図２】
2016059478.tif 000004
【図３】
2016059478.tif 000005
【図４】
2016059478.tif 000006
【図５】
2016059478.tif 000007
【図６】
2016059478.tif 000008
【図７】
2016059478.tif 000009